(57)【要約】【課題】雑音指数の大きな劣化を招くことなく、所望の通過特性を得ることができる広帯域受信回路を得ることを目的とする。【解決手段】アンテナ１の受信信号に含まれている所望波の周波数ｆｃを包含する通過帯域以外の帯域に阻止帯域が設定されて、その阻止帯域における妨害波を減衰させる可変帯域阻止フィルタ２が低雑音増幅器３の前段に接続され、所望波の周波数ｆｃが通過帯域の中心周波数に設定されて、低雑音増幅器３により増幅された受信信号に含まれている所望波を通過させるとともに、通過帯域以外の妨害波を減衰させる可変帯域通過フィルタ４が低雑音増幅器３の後段に接続されている。【選択図】図１
2013232735.tif 000002
【特許請求の範囲】
【請求項１】
アンテナの受信信号に含まれている所望波の周波数を包含する通過帯域以外の帯域に阻止帯域が設定されており、上記阻止帯域における妨害波を減衰させる可変帯域阻止フィルタと、
上記可変帯域阻止フィルタにより妨害波が減衰された受信信号を増幅する低雑音増幅器と、
上記所望波の周波数が通過帯域の中心周波数に設定されており、上記低雑音増幅器により増幅された受信信号に含まれている所望波を通過させて、上記通過帯域以外の妨害波を減衰させる可変帯域通過フィルタと
を備えた広帯域受信回路。
【請求項２】
可変帯域阻止フィルタの阻止帯域と、可変帯域通過フィルタにおける通過帯域の中心周波数とが連続的に同調して可変されることを特徴とする請求項１記載の広帯域受信回路。
【請求項３】
可変帯域阻止フィルタ及び可変帯域通過フィルタは、インダクタと容量の直列回路、または、インダクタと容量の並列回路で構成されており、上記インダクタと上記容量のうち、少なくとも一方が可変素子で構成されていることを特徴とする請求項１または請求項２記載の広帯域受信回路。
【請求項４】
アンテナの受信信号に含まれている所望波の周波数より低い周波数がカットオフ周波数に設定されており、上記カットオフ周波数より低い周波数の妨害波を減衰させる可変高域通過フィルタと、
上記所望波の周波数より高い周波数がカットオフ周波数に設定されており、上記カットオフ周波数より高い周波数の妨害波を減衰させる可変低域通過フィルタと、
上記可変高域通過フィルタ及び上記可変低域通過フィルタにより妨害波が減衰された受信信号を増幅する低雑音増幅器と、
上記所望波の周波数が通過帯域の中心周波数に設定されており、上記低雑音増幅器により増幅された受信信号に含まれている所望波を通過させて、上記通過帯域以外の妨害波を減衰させる可変帯域通過フィルタと
を備えた広帯域受信回路。
【請求項５】
可変高域通過フィルタ及び可変低域通過フィルタのカットオフ周波数と、可変帯域通過フィルタにおける通過帯域の中心周波数とが連続的に同調して可変されることを特徴とする請求項４記載の広帯域受信回路。
【請求項６】
可変高域通過フィルタ及び可変低域通過フィルタは、インダクタと容量からなるはしご形回路で構成され、
可変帯域通過フィルタは、インダクタと容量の直列回路、または、インダクタと容量の並列回路で構成されており、
上記可変高域通過フィルタ、上記可変低域通過フィルタ及び上記可変帯域通過フィルタにおいて、構成しているインダクタと容量のうち、少なくとも一方が可変素子で構成されていることを特徴とする請求項４または請求項５記載の広帯域受信回路。
【請求項７】
アンテナの受信信号に含まれている所望波の周波数が通過帯域の中心周波数に設定されており、上記受信信号に含まれている所望波を通過させて、上記通過帯域以外の妨害波を減衰させる第１の可変帯域通過フィルタと、
上記第１の可変帯域通過フィルタにより妨害波が減衰された受信信号を増幅する低雑音増幅器と、
上記所望波の周波数が通過帯域の中心周波数に設定されており、上記低雑音増幅器により増幅された受信信号に含まれている所望波を通過させて、上記通過帯域以外の妨害波を減衰させる第２の可変帯域通過フィルタと
を備えた広帯域受信回路。
【請求項８】
第１及び第２の可変帯域通過フィルタにおける通過帯域の中心周波数が連続的に同調して可変されることを特徴とする請求項７記載の広帯域受信回路。
【請求項９】
第１及び第２の可変帯域通過フィルタは、インダクタと容量の直列回路、または、インダクタと容量の並列回路で構成されており、上記インダクタと上記容量のうち、少なくとも一方が可変素子で構成されていることを特徴とする請求項７または請求項８記載の広帯域受信回路。
【請求項１０】
第２の可変帯域通過フィルタにおける通過帯域での挿入損失が、第１の可変帯域通過フィルタにおける通過帯域での挿入損失と比べて大きくなるように設定されていることを特徴とする請求項７から請求項９のうちのいずれか１項記載の広帯域受信回路。
【発明の詳細な説明】
【技術分野】
【０００１】
この発明は、任意の周波数の所望波を低損失に通過させる一方、所望波の周波数を包含する通過帯域以外の妨害波を抑圧するフィルタを備えている広帯域受信回路に関するものである。
【背景技術】
【０００２】
受信回路は、アンテナの受信信号を増幅する低雑音増幅器の他に、所望波と妨害波の混信を避けるために、所望波を通過させて、所望波の周波数を包含する通過帯域以外の妨害波を減衰させるフィルタを実装する必要がある。
また、複数の周波数を扱う受信回路では、それぞれの周波数に対応しているフィルタが必要になる。
【０００３】
このような受信回路では、特定の周波数を広帯域に亘って任意に選択することが可能な可変帯域通過フィルタを用いれば、小型に構成できる利点が得られる。
特に、受信周波数を連続的に選択する必要がある場合には、フィルタの共振器の一部に可変素子を使用し、その可変素子に印加する直流電圧を制御することで、所望の周波数を選択することができる。
例えば、以下の特許文献１には、低雑音増幅器の後段に可変帯域通過フィルタを実装して、受信スプリアスを改善させている受信回路が開示されている。
【０００４】
なお、特許文献１に開示されている受信回路では、低雑音増幅器が、アンテナの受信信号に含まれている所望波だけではなく、周波数が所望波の周波数と近い妨害波も増幅している。
また、可変帯域通過フィルタは、一般的に、固定の帯域通過フィルタと比較して、通過帯域の挿入損失が大きく、耐電力が低い特性を有している。
したがって、可変帯域通過フィルタを低雑音増幅器の後段に接続すると、低雑音増幅器により増幅された大電力の妨害波によって、可変帯域通過フィルタに歪みが生じて、所望の通過特性が得られなくなることがある。
【先行技術文献】
【特許文献】
【０００５】
【特許文献１】特開平１０−９８３９８号公報（図１）
【発明の概要】
【発明が解決しようとする課題】
【０００６】
従来の広帯域受信回路は以上のように構成されているので、低雑音増幅器により増幅された大電力の妨害波によって、低雑音増幅器の後段に接続されている可変帯域通過フィルタに歪みが生じて、所望の通過特性が得られなくなることがある。
そこで、可変帯域通過フィルタを低雑音増幅器の前段に接続すれば、可変帯域通過フィルタに生じる歪みを防止することができるが、可変帯域通過フィルタの挿入損失が大きくなるため、雑音指数が大きく劣化してしまう課題があった。
【０００７】
この発明は上記のような課題を解決するためになされたもので、雑音指数の大きな劣化を招くことなく、所望の通過特性を得ることができる広帯域受信回路を得ることを目的とする。
【課題を解決するための手段】
【０００８】
この発明に係る広帯域受信回路は、アンテナの受信信号に含まれている所望波の周波数を包含する通過帯域以外の帯域に阻止帯域が設定されて、その阻止帯域における妨害波を減衰させる可変帯域阻止フィルタが低雑音増幅器の前段に接続され、所望波の周波数が通過帯域の中心周波数に設定されて、低雑音増幅器により増幅された受信信号に含まれている所望波を通過させるとともに、通過帯域以外の妨害波を減衰させる可変帯域通過フィルタが低雑音増幅器の後段に接続されているようにしたものである。
【発明の効果】
【０００９】
この発明によれば、アンテナの受信信号に含まれている所望波の周波数を包含する通過帯域以外の帯域に阻止帯域が設定されて、その阻止帯域における妨害波を減衰させる可変帯域阻止フィルタが低雑音増幅器の前段に接続され、所望波の周波数が通過帯域の中心周波数に設定されて、低雑音増幅器により増幅された受信信号に含まれている所望波を通過させるとともに、通過帯域以外の妨害波を減衰させる可変帯域通過フィルタが低雑音増幅器の後段に接続されているように構成したので、雑音指数の大きな劣化を招くことなく、所望の通過特性を得ることができる効果がある。
【図面の簡単な説明】
【００１０】
【図１】この発明の実施の形態１による広帯域受信回路を示す構成図である。
【図２】この発明の実施の形態１による広帯域受信回路のフィルタ部分を示す等価回路図である。
【図３】可変帯域阻止フィルタ２及び可変帯域通過フィルタ４の通過特性を示す説明図である。
【図４】所望波の周波数がｆｃ１とｆｃ２である場合の可変帯域阻止フィルタ２及び可変帯域通過フィルタ４の通過特性を示す説明図である。
【図５】可変帯域通過フィルタ４の入力周波数と耐電力の関係を示すグラフ図である。
【図６】この発明の実施の形態２による広帯域受信回路のフィルタ部分を示す等価回路図である。
【図７】この発明の実施の形態３による広帯域受信回路のフィルタ部分を示す等価回路図である。
【図８】この発明の実施の形態４による広帯域受信回路のフィルタ部分を示す等価回路図である。
【発明を実施するための形態】
【００１１】
実施の形態１．
図１はこの発明の実施の形態１による広帯域受信回路（受信機のフロントエンド部）を示す構成図である。
図１において、アンテナ１は図示せぬ送信機等から送信される信号を受信する。
可変帯域阻止フィルタ２はアンテナ１の受信信号に含まれている所望波の周波数ｆｃを包含する通過帯域以外の帯域に阻止帯域が設定されており、その阻止帯域における妨害波を減衰させるフィルタである。
【００１２】
低雑音増幅器３は可変帯域阻止フィルタ２と可変帯域通過フィルタ４の間に接続されており、可変帯域阻止フィルタ２により妨害波が減衰された受信信号を増幅して、増幅後の受信信号を可変帯域通過フィルタ４に出力する。
可変帯域通過フィルタ４は所望波の周波数ｆｃが通過帯域の中心周波数に設定されており、低雑音増幅器３により増幅された受信信号に含まれている所望波を通過させて、通過帯域以外の妨害波を減衰させるフィルタである。
なお、可変帯域阻止フィルタ２における阻止帯域と、可変帯域通過フィルタ４における通過帯域の中心周波数とは、図示せぬ制御回路によって、連続的に同調して可変される。
【００１３】
図２はこの発明の実施の形態１による広帯域受信回路のフィルタ部分を示す等価回路図であり、図２において、図１と同一符号は同一または相当部分を示すので説明を省略する。
可変帯域阻止フィルタ２はアンテナ１のアンテナ端子１ａに接続されており、インダクタ１１ａ及び可変容量素子１２ａの直列回路と、インダクタ１１ｂ及び可変容量素子１２ｂの直列回路とから構成されている。
また、可変帯域阻止フィルタ２は抵抗１３を介して制御端子１４と接続されており、図示せぬ制御回路によって、制御端子１４に印加される直流電圧が制御されることで、可変容量素子１２ａの容量値が調整されて、阻止帯域（減衰極）が可変される（阻止帯域は離散的な可変ではなく、連続的に可変される）。
【００１４】
可変帯域通過フィルタ４は低雑音増幅器３と受信系出力端子１ｂの間に接続されており、インダクタ２１及び可変容量素子２２の直列回路から構成されている。
また、可変帯域通過フィルタ４は抵抗２３を介して制御端子２４と接続されており、図示せぬ制御回路によって、制御端子２４に印加される直流電圧が制御されることで、可変容量素子２２の容量値が調整されて、通過帯域の中心周波数が可変される（通過帯域の中心周波数は離散的な可変ではなく、連続的に可変される）。
【００１５】
次に動作について説明する。
図３は可変帯域阻止フィルタ２及び可変帯域通過フィルタ４の通過特性を示す説明図である。
可変帯域阻止フィルタ２は、図３（ａ）に示すように、アンテナ１の受信信号に含まれている所望波の周波数ｆｃを包含する通過帯域以外の帯域に阻止帯域が設定されている。
これにより、可変帯域阻止フィルタ２は、アンテナ１の受信信号に含まれている所望波を通過させて、阻止帯域における妨害波を減衰させており、所望波の周波数ｆｃでは挿入損失が小さくなる。
【００１６】
低雑音増幅器３は、可変帯域阻止フィルタ２を通過してきた受信信号を入力すると、その受信信号を増幅して、増幅後の受信信号を可変帯域通過フィルタ４に出力する。
可変帯域通過フィルタ４は、図３（ｂ）に示すように、所望波の周波数ｆｃが通過帯域の中心周波数に設定されている。
これにより、可変帯域通過フィルタ４は、低雑音増幅器３により増幅された受信信号に含まれている所望波を通過させる一方、通過帯域以外の妨害波を減衰させている。
【００１７】
この実施の形態１では、低雑音増幅器３の後段に可変帯域通過フィルタ４を接続するだけでなく、低雑音増幅器３の前段に可変帯域阻止フィルタ２を接続しているので、アンテナ１の受信信号に含まれている通過帯域以外の妨害波は、特に通過帯域の近傍で反射されるため、可変帯域通過フィルタ４に入力される妨害波の電力レベルが小さくなる。
【００１８】
ここで、図５は可変帯域通過フィルタ４の入力周波数と耐電力の関係を示すグラフ図である。
インダクタ２１と可変容量素子２２のＬＣ共振器によって構成されている可変帯域通過フィルタ４では、図５に示すように、通過帯域の中心周波数に対する耐電力が最も低く、入力信号の周波数が通過帯域の中心周波数から離れるほど高くなる。
上述したように、低雑音増幅器３の前段に可変帯域阻止フィルタ２が接続されていることで、通過帯域の中心周波数の近傍の妨害波の電力レベルが小さくなるため、可変帯域通過フィルタ４の耐電力は等価的に高くなっている。
【００１９】
この実施の形態１では、上述したように、可変帯域阻止フィルタ２における阻止帯域と、可変帯域通過フィルタ４における通過帯域の中心周波数とが、図示せぬ制御回路によって、連続的に同調して可変されるため（例えば、可変帯域通過フィルタ４における通過帯域の中心周波数が可変されると、可変帯域阻止フィルタ２における阻止帯域が可変されて、通過帯域が可変帯域通過フィルタ４の通過帯域に合される）、任意の周波数において、可変帯域通過フィルタ４の耐電力を高めることができる。
なお、図４は所望波の周波数がｆｃ１とｆｃ２である場合の可変帯域阻止フィルタ２及び可変帯域通過フィルタ４の通過特性を示す説明図である。
図４の例では、２つの周波数ｆｃ１，ｆｃ２の所望波を通過させて、それ以外の妨害波を減衰させている。
【００２０】
以上で明らかなように、この実施の形態１によれば、アンテナ１の受信信号に含まれている所望波の周波数ｆｃを包含する通過帯域以外の帯域に阻止帯域が設定されて、その阻止帯域における妨害波を減衰させる可変帯域阻止フィルタ２が低雑音増幅器３の前段に接続され、所望波の周波数ｆｃが通過帯域の中心周波数に設定されて、低雑音増幅器３により増幅された受信信号に含まれている所望波を通過させるとともに、通過帯域以外の妨害波を減衰させる可変帯域通過フィルタ４が低雑音増幅器３の後段に接続されているように構成したので、雑音指数の大きな劣化を招くことなく、所望の通過特性を得ることができる効果を奏する。
【００２１】
なお、この実施の形態１では、可変帯域阻止フィルタ２の容量が可変容量素子１２ａ，１２ｂで構成されているものを示したが、可変帯域阻止フィルタ２のインダクタ１１ａ，１１ｂが可変素子で構成されていてもよい。
この場合、制御端子１４に印加される直流電圧が制御されることで、インダクタ１１ａ，１１ｂの値が調整されて、阻止帯域（減衰極）が可変される。
また、可変帯域阻止フィルタ２の容量とインダクタの双方が可変素子で構成されていてもよい。
【００２２】
また、可変帯域通過フィルタ４の容量が可変容量素子２２で構成されているものを示したが、可変帯域通過フィルタ４のインダクタ２１が可変素子で構成されていてもよい。
この場合、制御端子２４に印加される直流電圧が制御されることで、インダクタ２１の値が調整されて、通過帯域の中心周波数が可変される。
また、可変帯域通過フィルタ４の容量とインダクタの双方が可変素子で構成されていてもよい。
【００２３】
実施の形態２．
図６はこの発明の実施の形態２による広帯域受信回路のフィルタ部分を示す等価回路図であり、図６において、図１及び図２と同一符号は同一または相当部分を示すので説明を省略する。
可変帯域阻止フィルタ２はアンテナ１のアンテナ端子１ａに接続されており、インダクタ３１ａ及び可変容量素子３２ａの並列回路と、インダクタ３１ｂ及び可変容量素子３２ｂの並列回路とから構成されている。ただし、インダクタ３１ａ，３１ｂにはＤＣカット３３ａ，３３ｂが接続されて、２つの並列回路の間にはＤＣカット３３ｃが接続されている。
また、可変帯域阻止フィルタ２は抵抗３４ａ，３４ｂを介して制御端子３５と接続されており、図示せぬ制御回路によって、制御端子３５に印加される直流電圧が制御されることで、可変容量素子３２ａ，３２ｂの容量値が調整されて、阻止帯域（減衰極）が可変される（阻止帯域は離散的な可変ではなく、連続的に可変される）。
【００２４】
可変帯域通過フィルタ４は低雑音増幅器３と受信系出力端子１ｂの間に接続されており、インダクタ４１と可変容量素子４２の並列回路から構成されている。ただし、インダクタ４１にはＤＣカット４３が接続されている。
また、可変帯域通過フィルタ４は抵抗４４を介して制御端子４５と接続されており、図示せぬ制御回路によって、制御端子４５に印加される直流電圧が制御されることで、可変容量素子４２の容量値が調整されて、通過帯域の中心周波数が可変される（通過帯域の中心周波数は離散的な可変ではなく、連続的に可変される）。
【００２５】
上記実施の形態１では、可変帯域阻止フィルタ２が、インダクタ１１ａ及び可変容量素子１２ａの直列回路と、インダクタ１１ｂ及び可変容量素子１２ｂの直列回路とから構成されているものを示したが、図６に示すように、可変帯域阻止フィルタ２が、インダクタ３１ａ及び可変容量素子３２ａの並列回路と、インダクタ３１ｂ及び可変容量素子３２ｂの並列回路とから構成されていてもよい。
また、上記実施の形態１では、可変帯域通過フィルタ４が、インダクタ２１及び可変容量素子２２の直列回路から構成されているものを示したが、図６に示すように、可変帯域通過フィルタ４が、インダクタ４１と可変容量素子４２の並列回路から構成されていてもよい。
受信回路の動作自体は、上記実施の形態１と同様であり、雑音指数の大きな劣化を招くことなく、所望の通過特性を得ることができる。
【００２６】
なお、この実施の形態２では、可変帯域阻止フィルタ２の容量が可変容量素子３２ａ，３２ｂで構成されているものを示したが、可変帯域阻止フィルタ２のインダクタ３１ａ，３１ｂが可変素子で構成されていてもよい。
この場合、制御端子３５に印加される直流電圧が制御されることで、インダクタ３１ａ，３１ｂの値が調整されて、阻止帯域（減衰極）が可変される。
また、可変帯域阻止フィルタ２の容量とインダクタの双方が可変素子で構成されていてもよい。
【００２７】
また、可変帯域通過フィルタ４の容量が可変容量素子４２で構成されているものを示したが、可変帯域通過フィルタ４のインダクタ４１が可変素子で構成されていてもよい。
この場合、制御端子４５に印加される直流電圧が制御されることで、インダクタ４１の値が調整されて、通過帯域の中心周波数が可変される。
また、可変帯域通過フィルタ４の容量とインダクタの双方が可変素子で構成されていてもよい。
【００２８】
実施の形態３．
図７はこの発明の実施の形態３による広帯域受信回路のフィルタ部分を示す等価回路図であり、図７において、図２及び図６と同一符号は同一または相当部分を示すので説明を省略する。
可変高域通過フィルタ５０はアンテナ１の受信信号に含まれている所望波の周波数ｆｃより低い周波数がカットオフ周波数に設定されており、そのカットオフ周波数より低い周波数の妨害波を減衰させるフィルタである。
【００２９】
また、可変高域通過フィルタ５０はアンテナ１のアンテナ端子１ａに接続されており、インダクタ５１と可変容量素子５２からなるはしご形回路で構成されている。
また、可変高域通過フィルタ５０は抵抗３４ａを介して制御端子３５と接続されており、図示せぬ制御回路によって、制御端子３５に印加される直流電圧が制御されることで、可変容量素子５２の容量値が調整されて、カットオフ周波数が可変される（カットオフ周波数は離散的な可変ではなく、連続的に可変される）。
【００３０】
可変低域通過フィルタ６０はアンテナ１の受信信号に含まれている所望波の周波数ｆｃより高い周波数がカットオフ周波数に設定されており、そのカットオフ周波数より高い周波数の妨害波を減衰させるフィルタである。
また、可変低域通過フィルタ６０は可変高域通過フィルタ５０と低雑音増幅器３の間に接続されて、インダクタ６１と可変容量素子６２からなるはしご形回路で構成されている。
また、可変低域通過フィルタ６０は抵抗３４ｂを介して制御端子３５と接続されており、図示せぬ制御回路によって、制御端子３５に印加される直流電圧が制御されることで、可変容量素子６２の容量値が調整されて、カットオフ周波数が可変される（カットオフ周波数は離散的な可変ではなく、連続的に可変される）。
なお、可変高域通過フィルタ５０及び可変低域通過フィルタ６０のカットオフ周波数と、可変帯域通過フィルタ４における通過帯域の中心周波数とは、図示せぬ制御回路によって、同調して可変される。
【００３１】
ここでは、可変高域通過フィルタ５０が可変低域通過フィルタ６０の前段に接続されている例を示しているが、可変高域通過フィルタ５０が可変低域通過フィルタ６０の後段に接続されていてもよい。
【００３２】
次に動作について説明する。
可変高域通過フィルタ５０は、所望波の周波数ｆｃより低い周波数がカットオフ周波数に設定されており、所望波の周波数ｆｃでは低挿入損失になっている。
これにより、可変高域通過フィルタ５０は、カットオフ周波数より低い周波数の妨害波を減衰させる一方、そのカットオフ周波数より高い周波数ｆｃの所望波を通過させる。
【００３３】
可変低域通過フィルタ６０は、所望波の周波数ｆｃより高い周波数がカットオフ周波数に設定されており、所望波の周波数ｆｃでは低挿入損失になっている。
これにより、可変低域通過フィルタ６０は、カットオフ周波数より高い周波数の妨害波を減衰させる一方、そのカットオフ周波数より低い周波数ｆｃの所望波を通過させる。
【００３４】
低雑音増幅器３は、可変高域通過フィルタ５０及び可変低域通過フィルタ６０を通過してきた受信信号を入力すると、その受信信号を増幅して、増幅後の受信信号を可変帯域通過フィルタ４に出力する。
可変帯域通過フィルタ４は、上記実施の形態１と同様に、所望波の周波数ｆｃが通過帯域の中心周波数に設定されている。
これにより、可変帯域通過フィルタ４は、低雑音増幅器３により増幅された受信信号に含まれている所望波を通過させる一方、通過帯域以外の妨害波を減衰させている。
【００３５】
この実施の形態３では、低雑音増幅器３の後段に可変帯域通過フィルタ４を接続するだけでなく、低雑音増幅器３の前段に可変高域通過フィルタ５０及び可変低域通過フィルタ６０を接続しているので、可変高域通過フィルタ５０及び可変低域通過フィルタ６０の通過帯域以外の妨害波は、低雑音増幅器３に入力される前に減衰される。
この結果、可変帯域通過フィルタ４に入力される通過帯域以外の妨害波は減衰されているため、上記実施の形態１，２と同様に、受信回路の耐電力を高めることができる。
【００３６】
また、この実施の形態３では、上述したように、可変高域通過フィルタ５０及び可変低域通過フィルタ６０のカットオフ周波数と、可変帯域通過フィルタ４における通過帯域の中心周波数とが、図示せぬ制御回路によって、連続的に同調して可変されるため（例えば、可変帯域通過フィルタ４における通過帯域の中心周波数が可変されると、可変高域通過フィルタ５０のカットオフ周波数が所望波の周波数ｆｃより高い周波数にならないように可変され、また、可変低域通過フィルタ６０のカットオフ周波数が所望波の周波数ｆｃより低い周波数になるように可変される）、任意の周波数において、可変帯域通過フィルタ４の耐電力を高めることができる。
【００３７】
以上で明らかなように、この実施の形態３によれば、アンテナ１の受信信号に含まれている所望波の周波数ｆｃより低い周波数がカットオフ周波数に設定されており、そのカットオフ周波数より低い周波数の妨害波を減衰させる可変高域通過フィルタ５０と、アンテナ１の受信信号に含まれている所望波の周波数ｆｃより高い周波数がカットオフ周波数に設定されており、そのカットオフ周波数より高い周波数の妨害波を減衰させる可変低域通過フィルタ６０とを低雑音増幅器３の前段に接続するように構成したので、雑音指数の大きな劣化を招くことなく、所望の通過特性を得ることができる効果を奏する。
【００３８】
なお、この実施の形態３では、可変高域通過フィルタ５０の容量が可変容量素子５２で構成されているものを示したが、可変高域通過フィルタ５０のインダクタ５１が可変素子で構成されていてもよい。
この場合、制御端子３５に印加される直流電圧が制御されることで、インダクタ５１の値が調整されて、カットオフ周波数が可変される。
また、可変高域通過フィルタ５０の容量とインダクタの双方が可変素子で構成されていてもよい。
【００３９】
また、この実施の形態３では、可変低域通過フィルタ６０の容量が可変容量素子６２で構成されているものを示したが、可変低域通過フィルタ６０のインダクタ６１が可変素子で構成されていてもよい。
この場合、制御端子３５に印加される直流電圧が制御されることで、インダクタ６１の値が調整されて、カットオフ周波数が可変される。
また、可変低域通過フィルタ６０の容量とインダクタの双方が可変素子で構成されていてもよい。
【００４０】
また、可変帯域通過フィルタ４の容量が可変容量素子２２で構成されているものを示したが、可変帯域通過フィルタ４のインダクタ２１が可変素子で構成されていてもよい。
この場合、制御端子２４に印加される直流電圧が制御されることで、インダクタ２１の値が調整されて、通過帯域の中心周波数が可変される。
また、可変帯域通過フィルタ４の容量とインダクタの双方が可変素子で構成されていてもよい。
【００４１】
実施の形態４．
図８はこの発明の実施の形態４による広帯域受信回路のフィルタ部分を示す等価回路図であり、図８において、図２及び図６と同一符号は同一または相当部分を示すので説明を省略する。
可変帯域通過フィルタ７０はアンテナ１の受信信号に含まれている所望波の周波数ｆｃが通過帯域の中心周波数に設定されており、受信信号に含まれている所望波を通過させて、通過帯域以外の妨害波を減衰させる第１の可変帯域通過フィルタである。
また、可変帯域通過フィルタ７０はアンテナ１のアンテナ端子１ａに接続されており、インダクタ７１及び可変容量素子７２の直列回路から構成されている。
また、可変帯域通過フィルタ７０は抵抗１３を介して制御端子１４と接続されており、図示せぬ制御回路によって、制御端子１４に印加される直流電圧が制御されることで、可変容量素子７２の容量値が調整されて、通過帯域の中心周波数が可変される（通過帯域の中心周波数は離散的な可変ではなく、連続的に可変される）。
【００４２】
可変帯域通過フィルタ８０は所望波の周波数ｆｃが通過帯域の中心周波数に設定されており、低雑音増幅器３により増幅された受信信号に含まれている所望波を通過させて、通過帯域以外の妨害波を減衰させる第２の可変帯域通過フィルタである。
また、可変帯域通過フィルタ８０は低雑音増幅器３と受信系出力端子１ｂの間に接続されており、インダクタ８１ａ，８１ｂ及び可変容量素子８２ａ，８２ｂの直列回路と、インダクタ８１ｃ及び可変容量素子８２ｃの並列回路とから構成されている。ただし、インダクタ８１ｃにはＤＣカット８３が接続されている。
また、可変帯域通過フィルタ８０は抵抗２３を介して制御端子２４と接続されており、図示せぬ制御回路によって、制御端子２４に印加される直流電圧が制御されることで、可変容量素子８２ａ，８２ｂ，８２ｃの容量値が調整されて、通過帯域の中心周波数が可変される（通過帯域の中心周波数は離散的な可変ではなく、連続的に可変される）。
なお、可変帯域通過フィルタ７０における通過帯域の中心周波数と、可変帯域通過フィルタ８０における通過帯域の中心周波数とは、図示せぬ制御回路によって、同調して可変される。
【００４３】
次に動作について説明する。
可変帯域通過フィルタ７０は、アンテナ１の受信信号に含まれている所望波の周波数ｆｃが通過帯域の中心周波数に設定されている。
これにより、可変帯域通過フィルタ７０は、受信信号に含まれている所望波を通過させて、通過帯域以外の妨害波を減衰させており、所望波の周波数ｆｃでは挿入損失が小さくなる。
【００４４】
低雑音増幅器３は、可変帯域通過フィルタ７０を通過してきた受信信号を入力すると、その受信信号を増幅して、増幅後の受信信号を可変帯域通過フィルタ８０に出力する。
可変帯域通過フィルタ８０は、所望波の周波数ｆｃが通過帯域の中心周波数に設定されている。
これにより、可変帯域通過フィルタ８０は、低雑音増幅器３により増幅された受信信号に含まれている所望波を通過させる一方、通過帯域以外の妨害波を減衰させるが、通過帯域以外の妨害波の減衰量を大きくするために、可変帯域通過フィルタ７０と比較して、所望波の周波数ｆｃでの挿入損失が大きくなるように設定されている。
【００４５】
この実施の形態４では、低雑音増幅器３の後段に可変帯域通過フィルタ８０を接続するだけでなく、低雑音増幅器３の前段に可変帯域通過フィルタ７０を接続しているので、所望波の周波数ｆｃでは挿入損失が小さくなり、可変帯域通過フィルタ８０に入力される妨害波の電力レベルが小さくなる。
【００４６】
また、この実施の形態４では、上述したように、可変帯域通過フィルタ７０における通過帯域の中心周波数と、可変帯域通過フィルタ８０における通過帯域の中心周波数とが、図示せぬ制御回路によって、連続的に同調して可変されるため（例えば、可変帯域通過フィルタ８０における通過帯域の中心周波数が可変されると、可変帯域通過フィルタ７０における通過帯域の中心周波数が可変帯域通過フィルタ８０の中心周波数と同じ値に可変される）、任意の周波数において、可変帯域通過フィルタ８０の耐電力を高めることができる。
【００４７】
以上で明らかなように、この実施の形態４によれば、アンテナ１の受信信号に含まれている所望波の周波数ｆｃが通過帯域の中心周波数に設定されており、受信信号に含まれている所望波を通過させて、通過帯域以外の妨害波を減衰させる可変帯域通過フィルタ７０が低雑音増幅器３の前段に接続され、所望波の周波数ｆｃが通過帯域の中心周波数に設定されて、低雑音増幅器３により増幅された受信信号に含まれている所望波を通過させるとともに、通過帯域以外の妨害波を減衰させる可変帯域通過フィルタ８０が低雑音増幅器３の後段に接続されているように構成したので、雑音指数の大きな劣化を招くことなく、所望の通過特性を得ることができる効果を奏する。
【００４８】
なお、この実施の形態４では、可変帯域通過フィルタ７０の容量が可変容量素子７２で構成されているものを示したが、可変帯域通過フィルタ７０のインダクタ７１が可変素子で構成されていてもよい。
この場合、制御端子１４に印加される直流電圧が制御されることで、インダクタ７１の値が調整されて、通過帯域の中心周波数が可変される。
また、可変帯域通過フィルタ７０の容量とインダクタの双方が可変素子で構成されていてもよい。
また、可変帯域通過フィルタ７０が、インダクタ７１と可変容量素子７２の直列回路で構成されているものを示したが、インダクタ７１と可変容量素子７２の並列回路で構成されていてもよい。
【００４９】
また、この実施の形態４では、可変帯域通過フィルタ８０の容量が可変容量素子８２ａ，８２ｂ，８２ｃで構成されているものを示したが、可変帯域通過フィルタ８０のインダクタ８１ａ，８１ｂ，８１ｃが可変素子で構成されていてもよい。
この場合、制御端子２４に印加される直流電圧が制御されることで、インダクタ８１ａ，８１ｂ，８１ｃの値が調整されて、通過帯域の中心周波数が可変される。
また、可変帯域通過フィルタ８０の容量とインダクタの双方が可変素子で構成されていてもよい。
【００５０】
なお、本願発明はその発明の範囲内において、各実施の形態の自由な組み合わせ、あるいは各実施の形態の任意の構成要素の変形、もしくは各実施の形態において任意の構成要素の省略が可能である。
【符号の説明】
【００５１】
１  アンテナ、１ａ  アンテナ端子、１ｂ  受信系出力端子、２  可変帯域阻止フィルタ、３  低雑音増幅器、４  可変帯域通過フィルタ、１１ａ，１１ｂ  インダクタ、１２ａ，１２ｂ  可変容量素子、１３  抵抗、１４  制御端子、２１  インダクタ、２２  可変容量素子、２３，２５  抵抗、２４  制御端子、３１ａ，３１ｂ  インダクタ、３２ａ，３２ｂ  可変容量素子、３３ａ，３３ｂ，３３ｃ  ＤＣカット、３４ａ，３４ｂ  抵抗、３５  制御端子、４１  インダクタ、４２  可変容量素子、４３  ＤＣカット、４４，４６，４７  抵抗、４５  制御端子、５０  可変高域通過フィルタ、５１  インダクタ、５２  可変容量素子、６０  可変低域通過フィルタ、６１  インダクタ、６２  可変容量素子、７０  可変帯域通過フィルタ（第１の可変帯域通過フィルタ）、７１  インダクタ、７２  可変容量素子、８０  可変帯域通過フィルタ（第２の可変帯域通過フィルタ）、８１ａ，８１ｂ，８１ｃ  インダクタ、８２ａ，８２ｂ，８２ｃ  可変容量素子、８３  ＤＣカット、８４  抵抗。
【図１】
2013232735.tif 000003
【図２】
2013232735.tif 000004
【図３】
2013232735.tif 000005
【図４】
2013232735.tif 000006
【図５】
2013232735.tif 000007
【図６】
2013232735.tif 000008
【図７】
2013232735.tif 000009
【図８】
2013232735.tif 000010